(57)【要約】【課題】取付け作業性を高めることができる潤滑用跳ね上げ具を提供する。【解決手段】当該潤滑用跳ね上げ具６は、回転軸４の外周面に取付けられる環状の装着部７と、該装着部７の外周面に設けられる複数の羽根部８と、を備えている。装着部７は、複数の円弧状部１２，１３を連結することにより構成され、それらのうちの少なくとも一部同士が、係止構造に基づく係止関係をもって連結されている。また、複数の円弧状部１２，１３のうちの少なくとも一つには、回転軸４と協働して、その円弧状部１３の相対移動を規制する突起部１１が設けられている。これにより、当該潤滑用跳ね上げ具６を回転軸４に一体化するに際し、その一体化を、係止構造に基づく係止関係を成立させるという極めて簡単な係止作業（いわゆるワンタッチ作業）により行えるようにする。【選択図】        図４
2010121669.tif 000002
【特許請求の範囲】
【請求項１】
動力伝達機構における回転体の外周面に取付けられる環状の装着部と、該装着部の外周面に該外周面から起立するようにして設けられる複数の羽根部と、を備え、該回転体の回転に伴い、該複数の羽根部が、前記動力伝達機構下方側において貯留される貯留潤滑油を跳ね上げる潤滑用跳ね上げ具において、
前記装着部が、複数の円弧状部を連結することにより構成され、
前記複数の円弧状部のうちの少なくとも一部同士が、係止構造に基づく係止関係をもって連結され、
前記複数の円弧状部のうちの少なくとも一つに、前記回転体と協働して、該円弧状部の相対移動を規制する移動規制部が設けられている、
ことを特徴とする潤滑用跳ね上げ具。
【請求項２】
請求項１において、
前記装着部として、一対の円弧状部が備えられ、
前記一対の円弧状部の一端部同士が、可撓性の連結部をもって連結され、
前記一対の円弧状部のうち、一方の円弧状部の他端部に係止爪部が設けられ、
前記一対の円弧状部のうち、他方の円弧状部の他端部に、前記係止爪部を係止させる係止部が設けられている、
ことを特徴とする潤滑用跳ね上げ具。
【請求項３】
請求項１において、
前記装着部として、一対の円弧状部が備えられ、
前記一対の円弧状部のうち、一方の円弧状部の各端部に、係止爪部又は該係止爪を係止するための係止部のいずれかが設けられ、
前記一対の円弧状部のうち、他方の円弧状部の各端部に、前記一方の円弧状部の係止爪部又は係止部と係止するための係止部又は係止爪部が設けられている、
ことを特徴とする潤滑用跳ね上げ具。
【請求項４】
請求項１〜３のいずれか１項において、
前記回転体の外周面に嵌合凹所が形成されている下で、前記移動規制部が、該嵌合凹所に嵌合可能とされる突起部である、
ことを特徴とする潤滑用跳ね上げ具。
【請求項５】
請求項１〜４のいずれか１項において、
前記装着部の外周面に、隣り合う前記羽根部の根元間を跨ぐようにして補強壁が設けられている、
ことを特徴とする潤滑用跳ね上げ具。
【請求項６】
請求項１〜５のいずれか１項において、
前記複数の羽根部が、前記装着部の周回り方向において、等間隔毎に配置されている、
ことを特徴とする潤滑用跳ね上げ具。
【請求項７】
請求項１〜６のいずれか１項において、
合成樹脂により一体的に成形されている、
ことを特徴とする潤滑用跳ね上げ具。
【発明の詳細な説明】
【技術分野】
【０００１】
本発明は、貯留潤滑油を跳ね上げる潤滑用跳ね上げ具に関する。
【背景技術】
【０００２】
潤滑用跳ね上げ具には、特許文献１に示すように、リング状の装着部と、該装着部の外周面に該外周面から起立するようにして設けられる複数の羽根部とを一体的に備えたものがある。このものにおいては、取付けに際して、動力伝達機構における回転軸(回転体）の外周面にリング状の装着部を嵌合した後、ナットを回転軸に螺合して、そのナットと、装着部を受け止める回転軸の段差面とにより、装着部を挟持(回転軸と一体化）している。これにより、回転軸の回転に伴って、複数の羽根部がケーシング内の貯留潤滑油を跳ね上げることになり、動力伝達装置(ギア類）に対する潤滑性が確保される。
【特許文献１】実開昭６３−８０３６４号公報
【発明の開示】
【発明が解決しようとする課題】
【０００３】
しかし、上記潤滑用跳ね上げ具を回転軸に取付けるに際しては、工具を用いてナットを締付けなければならず、取付け作業性は高い状況にはない。
【０００４】
本発明は、上記実情に鑑みてなされたもので、その技術的課題は、取付け作業性を高めることができる潤滑用跳ね上げ具を提供することにある。
【課題を解決するための手段】
【０００５】
前記技術的課題を達成するために本発明（請求項１に係る発明）においては、
動力伝達機構における回転体の外周面に取付けられる環状の装着部と、該装着部の外周面に該外周面から起立するようにして設けられる複数の羽根部と、を備え、該回転体の回転に伴い、該複数の羽根部が、前記動力伝達機構下方側において貯留される貯留潤滑油を跳ね上げる潤滑用跳ね上げ具において、
前記装着部が、複数の円弧状部を連結することにより構成され、
前記複数の円弧状部のうちの少なくとも一部同士が、係止構造に基づく係止関係をもって連結され、
前記複数の円弧状部のうちの少なくとも一つに、前記回転体と協働して、該円弧状部の相対移動を規制する移動規制部が設けられている構成としてある。この請求項１の好ましい態様としては、請求項２以下の記載の通りとなる。
【発明の効果】
【０００６】
請求項１に係る発明によれば、移動規制部と回転体とによって該回転体に対する該当円弧状部の相対移動を規制した上で、係止構造に基づく係止関係を成立させれば、装着部は、環状(エンドレス状）となって回転体の径方向外方に移動することが規制されると共に、回転体の周回り方向及び軸心延び方向に回転体上を移動することが規制されることになり、装着部と回転体とは一体化する。このため、当該潤滑用跳ね上げ具を回転体に一体化するに際して、係止構造に基づく係止関係を成立させるという極めて簡単な係止作業（いわゆるワンタッチ作業）だけで足りることになり、工具を用いてナット締め等の作業を行う必要はなくなる。この結果、潤滑用跳ね上げ具の取付け作業性を向上させることができる。
【０００７】
請求項２に係る発明によれば、装着部として、一対の円弧状部が備えられ、一対の円弧状部の一端部同士が、可撓性の連結部をもって連結され、一対の円弧状部のうち、一方の円弧状部の他端部に係止爪部が設けられ、一対の円弧状部のうち、他方の円弧状部の他端部に、係止爪部を係止させる係止部が設けられていることから、一方の円弧状部と他方の円弧状部とを可撓性の連結部を中心として閉じ合わせて、一方の円弧状部の係止爪部と他方の円弧状部の係止部とを係止させるだけで（いわゆるワンタッチ作業）、前記請求項１の場合と同様、当該潤滑用跳ね上げ具を回転体に一体化できることになる。このため、当該滑用跳ね上げ具においては、請求項１と同様の作用効果を具体的構成をもって得ることができる。
また、一対の円弧状部の端部のうち、一端部には係止爪部又は係止部を設ける必要がなくなり、構成を簡素化することができる。
さらに、一対の円弧状部の一端部同士が、可撓性の連結部をもって連結されていることから、一部品として扱うことができ、取り扱い性を高めることができると共に、部品管理を容易にすることができる。
【０００８】
請求項３に係る発明によれば、装着部として、一対の円弧状部が備えられ、一対の円弧状部のうち、一方の円弧状部の各端部に、係止爪部又は該係止爪を係止するための係止部のいずれかが設けられ、一対の円弧状部のうち、他方の円弧状部の各端部に、一方の円弧状部の係止爪部又は係止部と係止するための係止部又は係止爪部が設けられていることから、係止爪部と係止部とを用いて、一対の円弧状部の両端部をいわゆるワンタッチ作業で連結することができ、請求項１と同様の作用効果を具体的構成をもって得ることができる。
【０００９】
請求項４に係る発明によれば、回転体の外周面に嵌合凹所が形成されている下で、移動規制部が、嵌合凹所に嵌合可能とされる突起部であることから、突起部と回転体の嵌合凹所とをもって、装着部（当該潤滑用跳ね上げ具）が回転体上を相対移動することを的確に規制できる。
【００１０】
請求項５に係る発明によれば、装着部の外周面に、隣り合う羽根部の根元間を跨ぐようにして補強壁が設けられていることから、羽根部の倒れを抑制できる。
【００１１】
請求項６に係る発明によれば、複数の羽根部が、装着部の周回り方向において、等間隔毎に配置されていることから、貯留潤滑油を複数の羽根部をもって的確に跳ね上げる（掻き上げる）ことができる。
【００１２】
請求項７に係る発明によれば、合成樹脂により一体的に成形されていることから、材質として金属を用いる場合よりも軽量化を図ることができる。
【発明を実施するための最良の形態】
【００１３】
以下、本発明の実施形態について、図面に基づいて説明する。
図１〜図５は第１実施形態を示す。この図１〜図５において、符号１は、図示を略すケーシング内に収納された動力伝達機構（例えばトランスミッション）の一部をなすギアを示す。このギア１は、円筒部２と、その円筒部２の軸心延び方向一方側外周に設けられるギア部３とを一体化することにより構成されている（特に図３参照）。ギア１の円筒部２内には、動力が伝達される回転体としての回転軸(ギア１の回転軸線をもって代用する）４が嵌合されており、その回転軸４とギア１とは一体化されている。これにより、このギア１は、回転軸４の回転に伴い回転することになっている。また、上記図示を略すケーシング内には潤滑油が貯留されており、その潤滑油の液位５は、図２，図３の仮想線で示すように、ギア１の下部側に位置されている。
【００１４】
前記ギア１における円筒部２の外周面には、前記ケーシング内の潤滑油を跳ね上げるべく、図１〜図３に示すように、円筒部２の軸心延び方向他方側において、第１実施形態に係る潤滑用跳ね上げ具６が取付けられている。この潤滑用跳ね上げ具６は、装着部７と、複数の羽根部８と、係止爪部９と、係止部１０と、移動規制部としての突起部１１と、を備えており、これらは、本実施形態においては、耐熱性合成樹脂（例えば６６ナイロン）を用いて一体的に成形されている。勿論この耐熱性剛性樹脂は、前述のケーシング内の潤滑油に対して十分な耐熱性を示す。
【００１５】
前記装着部７は、図１、図２、図４、図５に示すように、一対の円弧状部１２，１３と、その一対の円弧状部１２，１３を連結する連結部１４とを、備えている。一対の各円弧状部１２（１３）は、本実施形態においては、帯板形状のものが略半円状にそれぞれ形成されており、その各曲率半径は前記回転軸４の半径とほぼ等しくされている。この両円弧状部１２，１３は、その内周面が円筒部２の外周面上に配置されてリング形状を形成しており、この両円弧状部１２，１３により円筒部２外周面は巻回されている。連結部１４は、略くの字状に屈曲された形状とされており、その形状及び材質としての合成樹脂の性質に基づき、連結部１４の両端部は近接、離間可能に撓むことができることなっている。この連結部１４は、両円弧状部１２，１３の隣り合う端部（一端部）の外側に位置され、連結部１４の一端部は一方の円弧状部１２の一端部外周面に連結され、その連結部１４の他端部は他方の円弧状部１３の一端部に外周面に連結されている。
【００１６】
前記複数の羽根部８は、図１〜図５に示すように、前記各円弧状部１２（１３）の外周面に設けられている。各羽根部８は、各円弧状部の外周面から垂直に起立して、その各羽根部８の板面が円弧状部１２（１３）の周回り方向に向けられており、そのような各羽根部８は、各円弧状部１２（１３）において、その周回り方向に等間隔毎に配置されている。
【００１７】
前記係止爪部９は、図１，図２，図４，図５に示すように、前記一方の円弧状部１２の他端部に設けられている。一方の円弧状部１２の他端部外周面には、前記羽根部８のうちの一つが起立されており、その羽根部８ｅの板面から係止爪部９が、その円弧状部１２の他端外方に向けて突出されている。この係止爪部９は、羽根部８の板面から突出する脚部９ａと、その脚部９ａ先端部に、その突出方向にずらした状態で爪部９ｂと９ｃとが設けられている。
【００１８】
前記係止部１０は、図１，図２，図４，図５に示すように、前記他方の円弧状部１３の他端部に設けられている。他方の円弧状部１３の他端部外周面には、羽根部８は配置されておらず、その他方の円弧状部１３の他端から最も近い羽根部８までの間においては、他方の円弧状部１３の外周面の幅方向中央部に支持壁部１５が設けられ、その支持壁部１５に係止部１０が一体的に設けられている。係止部１０は、互いに対向する一対の係止爪部１６ａ，１６ｂをもって構成されており、その両係止爪部１６ａ，１６ｂ間は、前記係止爪部９の挿入開口として、他方の円弧状部１３の他端外方に向けられている。この一対の係止爪部１６ａ，１６ｂの各爪部１６ａａ，１６ｂｂは、前記係止爪部９の爪部９ｂ，９ｃに対応しており、その一対の係止爪部１６ａ，１６ｂの各爪部１６ａａ，１６ｂｂには係止爪部９の各爪部９ｂ，９ｃが係止されている。これにより、一対の円弧状部１２，１３は、リング状（エンドレス状）の装着部７となって、前記ギア１における円筒部２外周面に密着された状態となっており、これ基づき、装着部７は、円筒部２の径方向外方に向けて移動することが規制されることになっている。
尚、係止爪部９が一対の係止爪部１６ａ，１６ｂ（係止部１０）に係止されないときには、図４、図５の仮想線に示すように、ギア１の円筒部２が内部に入り易くするべく、両円弧状部１２，１３の両他端部は、連結部１４の弾発力に基づき、多少、開いた状態となる。
【００１９】
前記突起部１１は、本実施形態においては、図３〜図５に示すように、他方の円弧状部１３の内周面に形成されている。この突起部１１に対応して、前記ギア１における円筒部２外周面に嵌合凹所１７が形成されており、この嵌合凹所１７に突起部１１が嵌合されている（図３参照）。これにより、装着部７は、ギア１における円筒部２に対して相対回転することが規制されると共に、円筒部２の軸心延び方向に該円筒部２に対して相対移動することが規制される。
勿論この場合、上記構成とは逆に、円筒部２の外周面に突起部１１を設け、嵌合凹所１７を装着部７内面（円弧状部１２又は１３内面）に形成してもよい。
【００２０】
また、本実施形態においては、図１，図２，図４，図５に示すように、各円弧状部１２，１３（装着部７）外周面に、複数の補強壁としての複数のリブ１８が設けられている。この各リブ１８は、隣り合う羽根部８の根元を跨ぐように連結しており、この各リブ１８により各羽根部８の倒れ込みが抑制される。
【００２１】
このように、潤滑用跳ね上げ具６がギヤ１の円筒部２に装着された構造の下では、回転軸４の回転に伴ってギア１が回転すると、潤滑用跳ね上げ具６も回転することになり、その各羽根部８は、潤滑用跳ね上げ具６の下方側に貯留される潤滑油を跳ね上げる。その跳ね上げられた潤滑油が、ギア１を含む動力伝達機構に付与されることになり、そのギア１を含む動力伝達機構の潤滑性は確保されることになる。
【００２２】
このような潤滑用跳ね上げ具６は、次のようにしてギア１の円筒部２の外周面に装着される。
先ず、図４に示すように、潤滑用跳ね上げ具６をギア１の円筒部２に向けて移動し、一対の円弧状部１２，１３の両他端部間からその一対の円弧状部１２，１３内にギア１の円筒部２を通す。次いで、他方の円弧状部１３の突起部１１を円筒部２の嵌合凹所１７に嵌め込む(図３参照）。そして最後に、係止爪部９を一対の係止爪部１６ａ，１６ｂ間に挿入して係止爪部９の各爪部９ｂ，９ｃと各係止爪１６ａ，１６ｂの爪部１６ａａ，１６ｂｂとを係止する。これにより、装着部７は、円筒部２に対して相対移動することが規制されると共に、円筒部２の径方向外方に向けて移動することが規制されることになり、装着部７（当該潤滑用跳ね上げ具６）は、円筒部２に対して一体化する。
【００２３】
このように、第１実施形態においては、当該潤滑用跳ね上げ具６をいわゆるワンタッチ作業で円筒部２に取付けることができ、工具を用いてナット締め等を行う必要はなくなる。このため、潤滑用跳ね上げ具の取付け作業性を高めることができる。
また、本実施形態においては、当該潤滑用跳ね上げ具６として、合成樹脂を用いて一体成形されたものが用いられており、金属製のものに比べて軽量化を図ることができる。
【００２４】
図６，図７は第２実施形態、図８〜図１１は第３実施形態を示す。この各実施形態において、前記第１実施形態と同一構成要素については同一符号を付してその説明を省略する。
【００２５】
図６，図７に示す第２実施形態は、種々の外径の円筒部２（回転体）に対して強固に装着できる潤滑用跳ね上げ具６を示している。この第２実施形態においては、一方の円弧状部１２の係止爪部９が、その突出方向において、複数段（本実施形態においては３段）に亘って爪部２０，２１，２２を有している。その一方、他方の円弧状部１３の係止部１０においては、その他方の円弧状部１３の他端部外周面の外側にガイド壁部２３が設けられて、係止爪部９が挿入可能な挿入孔２４が形成されている。しかも、その挿入孔２４の幅方向両側に前記爪部２０，２１，２２を係止するための拡縮可能な一対の係止爪部２５，２５を設けられている。これにより、挿入孔２４に対する係止爪部９の挿入量に応じて、一対の係止爪部２５，２５（係止部１０）に係止する係止爪部９の爪部２０〜２２を選択できることになり、円筒部２の外径に応じて装着部７の内径を決定できる。このため、種々の外径の円筒部２に対して装着部７を密着した状態で装着することができ、当該潤滑用跳ね上げ具６を強固に円筒部２外周面に固定できる。
【００２６】
図８〜図１１は第３実施形態は、装着部７として、２つの円弧状部１２，１３に分割したものを用い、使用に際して、その両円弧状部１２，１３を、その両端側における係止爪９と係止部１０との係止関係により一体化するものを示している。
この第３実施形態においては、一方の円弧状部１２と他方の円弧状部１３とを連結する第１実施形態に係る連結部１４が設けられておらず、一方の円弧状部１２の一端部及び他方の円弧状部１３の他端部には、前記第１実施形態に係る係止部１０がそれぞれ設けられ、一方の円弧状部１２の他端部及び他方の円弧状部１３の一端部には、前記第１実施形態に係る係止部１０がそれぞれ設けられている。また、各円弧状部１２（１３）の内周面には、移動規制部としての突起部１１がそれぞれ設けられ、それに対応して、ギア１の円筒部２外周面に嵌合凹所１７がそれぞれ形成されている。
【００２７】
これにより、図１１に示すように、各円弧状部１２（１３）の突起部１１を円筒部２の嵌合凹所１７に嵌合さえすれば、両円弧状部１２，１３の各端部においても、係止爪部９と係止部１０とがそれぞれ係止されることになり、両円弧状部１２，１３は、円筒部２外周面に対して一体化する。したがって、この第３実施形態においても、両円弧状部１２，１３をいわゆるワンタッチ作業で装着することができることになり、取付け作業性を高めることができる。
【図面の簡単な説明】
【００２８】
【図１】ギアに装着した第１実施形態に係る潤滑用跳ね上げ具を示す斜視図。
【図２】図１の正面図。
【図３】図２のＸ３−Ｘ３線断面図。
【図４】ギアに対する第１実施形態に係る潤滑用跳ね上げ具の取付けを説明する説明図。
【図５】第１実施形態に係る一対の円弧状部の一体化を説明する説明図。
【図６】第２実施形態に係る潤滑用跳ね上げ具を示す斜視図。
【図７】第２実施形態における要部を説明する拡大説明図。
【図８】ギアに装着した第３実施形態に係る潤滑用跳ね上げ具を示す斜視図。
【図９】図８の正面図。
【図１０】図９のＸ１０−Ｘ１０線断面図。
【図１１】ギアに対する第３実施形態に係る潤滑用跳ね上げ具の取付けを説明する説明図。
【符号の説明】
【００２９】
１  ギア（動力伝達機構）
２  円筒部（回転体）
４  回転軸
５  潤滑油の液位
６  潤滑用跳ね上げ具
７  装着部
８  羽根部
９  係止爪部
１０  係止部
１１  突起部（移動規制部）
１２  一方の円弧状部
１３  他方の円弧状部
１４  連結部
１６ａ，１６ｂ  係止爪部（係止部）
１８  リブ（補強壁）
【図１】
2010121669.tif 000003
【図２】
2010121669.tif 000004
【図３】
2010121669.tif 000005
【図４】
2010121669.tif 000006
【図５】
2010121669.tif 000007
【図６】
2010121669.tif 000008
【図７】
2010121669.tif 000009
【図８】
2010121669.tif 000010
【図９】
2010121669.tif 000011
【図１０】
2010121669.tif 000012
【図１１】
2010121669.tif 000013